(57)【要約】【課題】開き戸の開き操作時のラッチ２４の解除に伴って戸パネル１０を開放する開き戸の開放装置の構造を簡単にする。【解決手段】開き戸の戸パネル１０に、その戸パネル１０から突出動作により戸当たり８を押して戸パネル１０を開き方向に移動させる押出部材３８を設け、この押出部材３８をラッチ２４の没入動作（引き込み動作）に応じて突出方向に前進移動させるようにする。【選択図】図６
2008150891.tif 000002
【特許請求の範囲】
【請求項１】
枠と、該枠の内部に開閉可能に支持された戸パネルと、該戸パネルに閉じ位置で当接して戸パネルを閉じ位置に規制する戸当たりとを備え、
上記枠にはラッチ受けが設けられている一方、上記戸パネルには、開閉操作される把手と、該把手の開閉操作に応じて戸先端面に対し出没し、戸パネルの閉じ位置で突出したときに上記ラッチ受けに進入係合して戸パネルを閉じ位置に保持するラッチとが設けられている開き戸の開放装置であって、
上記戸パネルにおいて、該戸パネルが閉じ位置にあるときに上記戸当たりに当接する側面に出没方向に進退可能に設けられた押出部材と、
上記ラッチが没入方向に移動したときに上記押出部材を、その先端部が戸当たりを押して戸パネルが閉じ位置から開くように突出方向に移動させる押出部材駆動機構とを備えたことを特徴とする開き戸の開放装置。
【請求項２】
請求項１の開き戸の開放装置において、
押出部材駆動機構は、ラッチに設けられかつ該ラッチの出没方向に対し傾斜する傾斜カム面と、
押出部材の基部に設けられ、上記ラッチの没入移動に応じて上記傾斜カム面により押圧されて押出部材を突出方向に前進移動させるカムフォロワとを有することを特徴とする開き戸の開放装置。
【請求項３】
請求項１又は２の開き戸の開放装置において、
押出部材を没入方向に付勢する付勢手段を備えたことを特徴とする開き戸の開放装置。
【発明の詳細な説明】
【技術分野】
【０００１】
本発明は、開き戸の戸パネルをラッチの係合解除に応じて開き方向に回動させて開放をアシストするようにした開き戸の開放装置に関するものである。
【背景技術】
【０００２】
一般に、住宅等の建築物の開口部に設けられている開き戸には、枠のラッチ受けに係合して戸パネルの閉鎖状態を保持するためのラッチが設けられている。そして、このラッチのラッチ受けとの係合を解除して開き戸を開くときには、戸パネルのレバーハンドル等の把手を掴んで下げる開き操作を行うことでラッチの係合を外した後、そのまま把手を戸パネルの開き方向である手前側に引くか奥側に押すかすることにより開き戸を開くことが行われている。
【０００３】
しかし、荷物等を持っていて両手が塞がっている状態で開き戸を開放しようとした場合や、手先の運動機能に障害がある身障者が開き戸を開放しようとした場合は、把手を掴む動作を行い難く、開き戸をスムースに開くことが困難となる。特に、戸パネルを手前に引いて開くためには、把手を確実に掴む必要があり、極めて困難であった。
【０００４】
そこで、従来、例えば特許文献１に示されるように、ラッチにスライド可能に支持されるアシスト体を設ける一方、枠のラッチ受け内に傾斜状のストライカを設け、ラッチが戸パネル内に没入したときに、その逆方向にアシスト体を突出させて先端部をストライカに押圧させ、その反力を利用して戸パネルを開き方向に強制的に回動させるようにした開放装置が提案されている。
【特許文献１】特開２００５−２９９２９９号公報
【発明の開示】
【発明が解決しようとする課題】
【０００５】
ところが、上記特許文献１のものでは、開放装置を有効に働かせるためには、ラッチ受けとして、ストライカが形成された特殊なものを取り付ける必要があるだけでなく、ラッチが引き込むのに連動して、アシスト体が突出させるための構造が複雑となるという問題があった。
【０００６】
本発明は斯かる点に鑑みてなされたもので、その目的は、上記の機能を持つ開き戸の開放装置の機構を工夫することにより、その構造を簡単にしながら、開き操作時のラッチの係合解除に伴って戸パネルを開放し得るようにすることにある。
【課題を解決するための手段】
【０００７】
上記の目的を達成するために、この発明では、戸パネルに、戸当たりを押して戸パネルを開き方向に回動させる部材を設け、この部材をラッチの没入動作（引き込み動作）に応じて押し動作させるようにした。
【０００８】
具体的には、請求項１の発明では、枠と、この枠の内部に開閉可能に支持された戸パネルと、この戸パネルに閉じ位置で当接して戸パネルを閉じ位置に規制する戸当たりとを備え、上記枠にはラッチ受けが設けられている一方、上記戸パネルには、開閉操作される把手と、この把手の開閉操作に応じて戸先端面に対し出没し、戸パネルの閉じ位置で突出したときに上記ラッチ受けに進入係合して戸パネルを閉じ位置に保持するラッチとが設けられている開き戸の開放装置が対象である。
【０００９】
そして、上記戸パネルにおいて、該戸パネルが閉じ位置にあるときに上記戸当たりに当接する側面に出没方向に進退可能に設けられた押出部材と、上記ラッチが没入方向に移動したときに上記押出部材を、その先端部が戸当たりを押して戸パネルが閉じ位置から開くように突出方向に移動させる押出部材駆動機構とを備えたことを特徴とする。
【００１０】
上記の構成によると、開き戸の閉じ位置では、戸パネルに設けられている押出部材は没入方向に後退移動しており、その先端部は戸当たりを押していない。また、ラッチは戸パネルの戸先端面から突出していて、枠のラッチ受けに進入係合しており、このラッチとラッチ受けとの係合により戸パネルが閉じ位置に保持されている。そして、把手が開き操作されてラッチが戸先端面内に没入し、そのラッチとラッチ受けとの係合が解除されて戸パネルが開放状態となると、そのラッチの没入移動に伴い、押出部材駆動機構によって押出部材が駆動されて突出方向に前進移動し、その先端部が戸当たりを押す。このことで、上記開き状態となっている戸パネルが閉じ位置から開くように押され、開き戸の開放がアシストされる。
【００１１】
この発明では、戸パネルに設けた押出部材をラッチの没入動作に応じて突出方向に移動させ、その先端部で戸当たりを押して戸パネルを開放させるので、従来のように特殊なラッチ受けやアシスト体は不要となり、開き戸の開放装置の構造が簡単になる。
【００１２】
請求項２の発明では、上記押出部材駆動機構は、ラッチに設けられかつ該ラッチの出没方向に対し傾斜する傾斜カム面と、押出部材の基部に設けられ、上記ラッチの没入移動に応じて上記傾斜カム面により押圧されて押出部材を突出方向に前進移動させるカムフォロワとを有するものとする。
【００１３】
この発明によると、開き戸の開き時にラッチが戸先端面内に没入すると、このラッチの没入移動に伴い、ラッチの傾斜カム面により押出部材のカムフォロワが押圧されることで、その押出部材が駆動されて突出方向に前進移動し、その先端部が戸当たりを押す。このことで、好ましい押出部材駆動機構が具体的に得られる。
【００１４】
請求項３の発明では、上記押出部材を没入方向に付勢する付勢手段を設ける。こうすれば、ラッチが突出状態に戻ったときに、付勢手段によって押出部材を没入方向の後退位置にスムーズに復帰させることができる。
【発明の効果】
【００１５】
以上説明したように、請求項１の発明によると、開き戸の戸パネルに、その戸パネルからの突出方向の前進移動により戸当たりを押して戸パネルを開き方向に回動させる押出部材を設け、この押出部材をラッチの没入動作（引き込み動作）に応じて前進移動させるようにしたことにより、荷物等で両手が塞がっている状態で開き戸を開放しようとした場合や、手先の運動機能に障害がある身障者が開き戸を開放しようとした場合に、把手の開き操作に応じたラッチの解除動作に引き続いて自動的に戸パネルを開き動作させ、その開き戸の開放装置の構造の簡単化を図ることができる。
【００１６】
請求項２の発明によると、ラッチに傾斜カム面を設ける一方、押出部材には、ラッチの没入移動に伴い傾斜カム面によって押圧されるカムフォロワを設けたことにより、ラッチの没入移動に応じて押出部材を突出方向に前進移動させる押出部材駆動機構の好適な構造が得られる。
【００１７】
請求項３の発明によると、押出部材を没入方向に付勢する付勢手段を設けたことにより、ラッチの突出状態への復帰に伴って押出部材を没入方向の後退位置にスムーズに復帰させることができる。
【発明を実施するための最良の形態】
【００１８】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１９】
図９は本発明の実施形態に係る開き戸Ｄを示す。この開き戸Ｄは、図４〜図６に示すように、第１室Ｒ１（図９では手前側の室）と第２室Ｒ２との境界部に設置されるもので、左右の縦枠部１ａ，１ｂ及び該両縦枠部１ａ，１ｂの上端間に連結された横枠部１ｃからなる枠１と、この枠１の内部に配置された戸パネル１０とを備えている。この戸パネル１０の左右側端部の一方（図９では右側端部）は支持側端部１０ａに、また他方（図９では左側端部）は回動側端部１０ｂにそれぞれ設定され、支持側端部１０ａは、該支持側端部１０ａに対応する図９右側の縦枠部１ａに上下複数の蝶番１１，１１（支軸）を介して回動可能に支持されており、このことで戸パネル１０は枠１に蝶番１１，１１によって開閉可能に支持され、その蝶番１１，１１を支点として、戸パネル１０を図４〜図６で反時計回り方向に回動させて回動側端部１０ｂを第１室Ｒ１側に向かう方向に移動させたときに開き戸Ｄが開く一方、図４〜図６で時計回り方向に回動させて回動側端部１０ｂを第２室Ｒ２側に向かう方向に移動させたときに開き戸Ｄが閉じるようになっている。尚、説明の便宜を図るため、枠１及び戸パネル１０の第１室Ｒ１側を表側とし、第２室Ｒ２側を裏側とする。
【００２０】
上記戸パネル１０の回動側端部１０ｂに対応する図９左側の縦枠部１ｂの内面には、上下方向に延びる凹条３が形成され、この凹条３には、例えば中空の樹脂等からなる戸当たり８が嵌合されて取付固定されており（戸当たり８は、中空の樹脂等以外のものでもよく枠１と一体のものでもよい）、図４に示すように、戸パネル１０が閉じ位置にあるときに、その回動側端部１０ｂに戸当たり８を当接させて戸パネル１０を閉じ位置に規制するようにしている。
【００２１】
上記戸当たり８の表側（第１室Ｒ１側）近傍の縦枠部１ｂ内面には、所定高さの位置にラッチ受け４が形成されている。このラッチ受け４は、縦枠部１ｂ内面を例えば矩形状に凹陥させた凹陥部５と、この凹陥部５を覆うように縦枠部１ｂ内面に取付固定され、凹陥部５の開口に対応する開口部６ａを有するラッチ受材６とからなり、このラッチ受材６の開口部６ａに戸パネル１０側の後述するラッチ２４を進入させることで、そのラッチ２４とラッチ受け４とを係合させて戸パネル１０を閉じ位置に保持するようになっている。
【００２２】
一方、図７及び図８に示すように、上記戸パネル１０の回動側端部１０ｂにはドア開閉ユニット１４が取り付けられている。このドア開閉ユニット１４は、戸パネル１０の厚さよりも薄い有底の矩形箱状のケース本体１６と、このケース本体１６にその開口を塞ぐように一体形成され、ケース本体１６よりも上下に延びる取付パネル部１７とを有するケース１５を備え、取付パネル部１７には、戸パネル１０が閉じ位置にあるときの上記ラッチ受け４（ラッチ受材６の開口部６ａ）に対応する位置にラッチ出没孔１８が開口されている。そして、ケース１５は、ケース本体１６を戸パネル１０の回動側端部１０ｂの戸先端面に凹陥形成した矩形状の収容部分内に収容しかつ取付パネル部１７を戸先端面にねじ止め等で固定することによって戸パネル１０に取り付けられている。
【００２３】
ケース本体１６内には、取付パネル部１７側（戸先端面側）である前側の下部に位置するラッチ収容室２０と、取付パネル部１７と反対側である後側に位置するリンク収容室２１とが隔壁２２によって区画形成されている。ラッチ収容室２０にはラッチ２４が上記取付パネル部１７のラッチ出没孔１８を挿通して戸先端面に対し出没するようにスライド可能に支持されて収容されており、このラッチ２４が戸パネル１０の閉じ位置で突出したときに上記ラッチ受け４（ラッチ受材６の開口部６ａ）に進入係合して戸パネル１０を閉じ位置に保持するようになっている。
【００２４】
ラッチ２４の後端部（戸パネル１０の支持側端部１０ａ側）には、後端に係合部２４ｂを有するロッド状の連結部２４ａが一体に突設され、この連結部２４ａは隔壁２２をスライド可能に挿通されて、後端の係合部２４ｂがリンク収容室２１に位置している。ラッチ２４と隔壁２２との間には連結部２４ａ周りに配置した圧縮ばね２５が縮装されており、この圧縮ばね２５によってラッチ２４を常時突出方向に付勢している。
【００２５】
ラッチ２４の先端部には、その先端裏側（戸当たり８側）の角部を斜めに切り欠くことで、ラッチ２４の先端側に向かって表側に向かうように傾斜する傾斜面２４ｃが形成されており、戸パネル１０を閉じ位置に回動させたときに、その先端傾斜面２４ｃを縦枠部１ｂ内面の表側角部に当接させることで、ラッチ２４を後述のレバーハンドル２６の操作によらずに上記圧縮ばね２５の付勢力に抗して没入させるようにしている。
【００２６】
上記ケース本体１６のリンク収容室２１には、レバーハンドル２６の操作に応じてラッチ２４を没入移動させるラッチ駆動機構２７が設けられている。このラッチ駆動機構２７は、リンク収容室２１の下部に下端のボス部２８ａにて表裏方向の回動中心回りに回動可能に支持された略上下方向に延びるアーム２８を有し、このアーム２８のボス部２８ａには断面矩形状のハンドル取付口２９が貫通形成され、このハンドル取付口２９にはハンドル軸３０が嵌挿されて回動一体に固定されている。このハンドル軸３０はケース本体１６及び戸パネル１０を貫通して戸パネル１０の表裏面に突出し、その突出部には、水平方向に延びる把手としてのレバーハンドル２６が一体的に固定されている。
【００２７】
また、リンク収容室２１の上部には略上下方向に延びるリンク３１が上端の基端部にて表裏方向の軸３３回りに回動可能に支持されている。このリンク３１の上下中間部後側（アーム２８側）には、アーム２８の上端部に該アーム２８が開き方向に回動したときのみに係合するリンク係止部３１ａが、また下端の前側には、上記ラッチ２４後端の係合部２４ｂに常時係合するラッチ係止部３１ｂがそれぞれ形成されている。
【００２８】
さらに、アーム２８にはボス部２８ａよりも下側に延びるばね受部２８ｂが突設され、このばね受部２８ｂと隔壁２２の後面との間には圧縮ばね３２が縮装されており、この圧縮ばね３２によってアーム２８を常時図７及び図８で反時計回り方向に付勢している。そして、開き戸Ｄの開き時、戸パネル１０の表裏両側にあるレバーハンドル２６，２６のいずれかを圧縮ばね３２の付勢力に抗して先端部が戸パネル１０の表裏面に沿って下方に移動するように押し下げ操作して回動させることで、このレバーハンドル２６と一体のアーム２８を図７及び図８で時計回り方向に回動させ、このアーム２８の回動により、その先端部にリンク３１をリンク係止部３１ａで係合させて、そのリンク３１を図７及び図８で反時計回り方向に回動させ、このリンク３１の回動により、そのラッチ係止部３１ｂに係合部２４ｂで係合しているラッチ２４を圧縮ばね２５の付勢力に抗して没入移動させて、そのラッチ２４のラッチ受け４との係合を解除し、戸パネル１０を開放可能状態とするようになっている。
【００２９】
尚、ラッチ２４が先端傾斜面２４ｃと縦枠部１ｂ内面の表側角部との当接や押込み力等によって、レバーハンドル２６の操作によらずに没入移動したときには、ラッチ駆動機構２７のリンク３１のみがラッチ２４の移動と共に回動するだけで、アーム２８、ハンドル軸３０、レバーハンドル２６は回動しないようになっている。
【００３０】
本発明の特徴として、図１及び図２に示すように、上記ラッチ２４には、その戸当たり８側にある先端傾斜面２４ｃの上下中央部を部分的に抉った形状の凹部３４が形成され、この凹部３４のラッチ２４先端側の面には、ラッチ２４の出没方向に対しラッチ２４先端側に向かって裏側に向かうように傾斜する傾斜カム面３５が形成されている。
【００３１】
また、上記ドア開閉ユニット１４の取付パネル部１７は、戸パネル１０の裏面側に折り曲げられて延びる折曲げ部１７ａを有し、この折曲げ部１７ａには上記ラッチ２４の凹部３４と同じ高さ位置に、ケース本体１６のラッチ収容室２０迄の範囲に亘り戸パネル１０を貫通して延びる貫通孔３７が開口され、この貫通孔３７には丸棒状の押出部材３８が基端部を上記ラッチ２４の凹部３４内に位置せしめた状態で戸パネル１０の表裏方向（厚さ方向）にスライド可能に収容支持されている。すなわち、この押出部材３８は、戸パネル１０において、その戸パネル１０が閉じ位置にあるときに上記戸当たり８に当接する側面（裏面）に出没方向に進退可能に設けられている。図３に拡大して示すように、押出部材３８の長さ方向の略中央の外周部にはフランジ状の突起３８ａが一体に突設されている。また、押出部材３８の基端部には傾斜面からなるカムフォロワ３９が形成され、このカムフォロワ３９の傾斜方向はラッチ２４の傾斜カム面３５に一致しており、ラッチ２４の傾斜カム面３５及び押出部材３８のカムフォロワ３９により押出部材駆動機構４０が構成されている。そして、この押出部材駆動機構４０により、ラッチ２４が没入移動したときにそれに応じてラッチ２４の傾斜カム面３５により押出部材３８をカムフォロワ３９で押圧して突出方向に前進移動させ、その先端部により戸当たり８を押して戸パネル１０を閉じ位置から開くようになっている。
【００３２】
また、上記押出部材３８外周の突起３８ａと、ドア開閉ユニット１４における取付パネル部１７の折曲げ部１７ａとの間には、押出部材３８周りに配置した付勢手段としての圧縮ばね４２が縮装されており、この圧縮ばね４２によって押出部材３８を常時没入方向に付勢している。
【００３３】
次に、上記実施形態の作動について説明する。開き戸Ｄの閉じ位置では、図７に示すように、戸パネル１０のレバーハンドル２６は圧縮ばね３２の付勢力によって水平状態にあり、ラッチ２４は圧縮ばね２５の付勢力によって付勢されて戸先端面から突出している。図４に示すように、このラッチ２４は枠１の縦枠部１ｂにおけるラッチ受け４に進入して係合しており、このことで、戸パネル１０は戸当たり８に当接した状態で閉じ位置に保持されている。また、上記ラッチ２４の突出状態では、押出部材３８が圧縮ばね４２の付勢力によって没入方向に後退移動しており、その先端部は戸当たり８を押していない。
【００３４】
そして、開き戸Ｄを開くために、図８に示すように、戸パネル１０の表裏面にあるレバーハンドル２６，２６が第１室Ｒ１又は第２室Ｒ２のいずれかから押し下げられて開き操作されると、この各レバーハンドル２６の開き操作に伴い、アーム２８が圧縮ばね３２の付勢力に抗して図７及び図８で時計回り方向に回動し、このアーム２８の先端にリンク３１がリンク係止部３１ａで係合して図７及び図８で反時計回り方向に回動し、このリンク３１のラッチ係止部３１ｂに係合部２４ｂで係合しているラッチ２４が圧縮ばね２５の付勢力に抗して没入移動し、そのラッチ２４がラッチ受け４から抜け出して両者の係合が解除され、戸パネル１０が開放可能状態となる。
【００３５】
このようなラッチ２４の没入が行われると、それに伴い、図５に示すように、ラッチ２４の凹部３４内の傾斜カム面３５が押出部材３８の基端部にあるカムフォロワ３９を押し、このことで押出部材３８がばね４２の付勢力に抗して突出方向に前進移動し、その先端部がそれに対向する戸当たり８を押し、その反力により戸パネル１０自体が押し返されて開き方向に回動する。ラッチ２４が没入した状態では、図６に示すように、押出部材３８が完全に突出して開き戸Ｄが開くこととなる。
【００３６】
すなわち、以上により、レバーハンドル２６を開き操作してラッチ２４による閉じ位置への保持を解除するのと当時に自動的に戸パネル１０が開き位置から閉じ方向に回動して開くこととなる。
【００３７】
そのため、第１室Ｒ１から開き戸Ｄを開く際に、荷物等を持っていて両手が塞がっている状態で開き戸Ｄを開放しようとした場合や、手先の運動機能に障害がある身障者が開き戸Ｄを開放しようとした場合は、レバーハンドル２６を押し下げる操作さえすれば、その後は戸パネル１０が強制的に開き方向に回動するので、レバーハンドル２６を掴んだ状態で戸パネル１０を手前に引いて開く動作は不要となり、開き戸Ｄをスムースに開き、その開き操作をアシストすることができる。
【００３８】
尚、第２室Ｒ２から開き戸Ｄを開く際には、開き方向に回動した戸パネル１０をそのまま表側に押せばよく、敢えてレバーハンドル２６を掴む操作は不要である。
【００３９】
また、戸パネル１０が開いて回動側端部１０ｂが枠１の縦枠部１ｂから外れると、ラッチ２４がばね２５の付勢力によって突出し、それに伴い押出部材３８がばね４２の付勢力によって没入位置に戻る。このことで、押出部材３８を没入位置にスムーズに復帰させることができる。
【００４０】
一方、開き戸Ｄを閉じるときには、上記開き動作とは逆の動作が行われ、レバーハンドル２６を開き操作せずに戸パネル１０を開き位置に回動させたときには、ラッチ２４の先端傾斜面２４ｃが縦枠部１ｂ内面の表側角部に当接することで、ラッチ２４が圧縮ばね２５の付勢力に抗して没入する。或いはレバーハンドル２６を開き操作して戸パネル１０を開き位置に回動させたときには、上記ラッチ駆動機構２７によりラッチ２４が同様に没入する。このラッチ２４の没入動作により、上記開き時と同様に、押出部材３８が突出方向に前進するが、ラッチ２４がラッチ受け４の位置に対応して突出移動しながら該ラッチ受け４に進入するのと同時に、押出部材３８はばね４２の付勢力によって没入位置に戻る。よって、押出部材３８が戸当たり８に当接することが原因で戸パネル１０の閉じ位置への移動が干渉されることはない。
【００４１】
したがって、この実施形態においては、戸パネル１０に押出部材３８を設け、この押出部材３８をラッチ２４の没入動作に応じて突出させ、その先端部で戸当たり８を押して戸パネル１０を開き方向に移動させる構造であるので、その開き戸Ｄの開放装置の構造が簡単になる。
【００４２】
（他の実施形態）
尚、上記実施形態では、押出部材駆動機構４０として、ラッチ２４に設けられた傾斜カム面３５と、押出部材３８の基部に設けられたカムフォロワ３９とを有するものとしているが、リンク機構等の他の機構を用いることができる。
【００４３】
また、レバーハンドル２６の開き操作によってラッチ２４を没入させるラッチ駆動機構２７は、上記実施形態で説明した機構以外の他のリンク機構やその他の機構を用いてもよいのは勿論である。また、戸パネル１０に直交する回動中心を持つレバーハンドル２６に限定されず、例えば戸パネル１０に向かって押し操作するハンドルや引き操作するハンドルを備え、その操作によってラッチ２４を没入させる機構を用いてもよい。
【産業上の利用可能性】
【００４４】
本発明は、開き戸の戸パネルを簡単な構造でラッチの没入動作に連動して開き方向に移動させるので、極めて有用で産業上の利用可能性が高い。
【図面の簡単な説明】
【００４５】
【図１】図１は、本発明の実施形態に係る開き戸の開放装置の要部を拡大して示す斜視図である。
【図２】図２は、開き戸の開放装置の要部を戸パネルの戸先端側から見た図である。
【図３】図３は、押圧部材の正面図である。
【図４】図４は、ラッチが突出してラッチ受けに係合している状態を示す平面図である。
【図５】図５は、ラッチが没入し始めて押出部材が戸当たりを押し始める状態を示す図４相当図である。
【図６】図６は、ラッチが完全に没入し押出部材が戸当たりを押した状態を示す図４相当図である。
【図７】図７は、ドアハンドルが操作されずにラッチが突出しているときのラッチ駆動機構を示す正面図である。
【図８】図８は、ドアハンドルが開き操作されてラッチが没入したときのラッチ駆動機構を示す図７相当図である。
【図９】図９は、開き戸の正面図である。
【符号の説明】
【００４６】
Ｄ  開き戸
１  枠
４  ラッチ受け
８  戸当たり
１０  戸パネル
２４  ラッチ
２６  レバーハンドル（把手）
２７  ラッチ駆動機構
３５  傾斜カム面
３８  押出部材
３９  カムフォロワ
４０  押出部材駆動機構
４２  圧縮ばね
【図１】
2008150891.tif 000003
【図２】
2008150891.tif 000004
【図３】
2008150891.tif 000005
【図４】
2008150891.tif 000006
【図５】
2008150891.tif 000007
【図６】
2008150891.tif 000008
【図７】
2008150891.tif 000009
【図８】
2008150891.tif 000010
【図９】
2008150891.tif 000011